(57)【特許請求の範囲】
【請求項１】
制御部、光学読取部、表示部、操作部、及び、プリンタ部を有する印字機能付き端末装置において、
前記制御部は、
前記光学読取部に印字媒体の印字面の画像をスキャン画像として取り込ませ、
前記光学読取部によって取り込まれた前記スキャン画像に対して、印字予定行を表す印字予定行マークを付加した印字位置確認画面を、前記表示部に表示させ、
前記印字位置確認画面に表示された前記印字予定行マークの位置を変更させる選択操作を前記操作部から受け付け、当該選択操作によって確定された前記印字予定行マークの位置を印字位置に決定し、
前記プリンタ部に、前記決定された印字位置から印字させる
ことを特徴とする印字機能付き端末装置。
【請求項２】
請求項１に記載の印字機能付き端末装置において、
前記制御部は、
前記印字媒体の印字面の画像の中からクリアな領域を識別し、当該クリアな領域を印字可能範囲と見なし、当該印字可能範囲の先頭の行を印字予定行と見なし、前記印字予定行マークを前記印字予定行と見なされた行に付加することによって前記印字位置確認画面を生成する
ことを特徴とする印字機能付き端末装置。
【請求項３】
請求項１又は請求項２に記載の印字機能付き端末装置において、
前記制御部は、
前記光学読取部によって取り込まれた前記スキャン画像に対して、印字を開始する予定の行である印字予定行がクリアか否かをチェックし、
前記印字予定行がクリアである場合に、前記印字予定行を前記印字位置に決定し、
一方、前記印字予定行がクリアでない場合に、前記印字媒体の印字面の画像の中からクリアな領域を識別し、当該クリアな領域を印字可能範囲と見なし、当該印字可能範囲の先頭の行を印字予定行と見なし、前記印字予定行マークを前記印字予定行と見なされた行に付加することによって前記印字位置確認画面を生成し、前記印字位置確認画面を前記表示部に表示させる
ことを特徴とする印字機能付き端末装置。
【請求項４】
請求項３に記載の印字機能付き端末装置において、
前記制御部は、
前記チェックを行わない場合に、直ちに、前記印字位置確認画面を前記表示部に表示させる
ことを特徴とする印字機能付き端末装置。
【請求項５】
請求項１乃至請求項４のいずれか一項に記載の印字機能付き端末装置において、
さらに、前記印字媒体が冊子状に構成されている場合に、前記印字媒体のページをめくるターンページユニットを有しており、
前記制御部は、
前記印字位置の選択操作でページの変更が利用者によって指示された場合に、前記ターンページユニットに前記印字媒体のページのめくりを実行させた後に、前記光学読取部に前記印字媒体の印字面の画像を取り込ませる
ことを特徴とする印字機能付き端末装置。
【請求項６】
請求項１乃至請求項５のいずれか一項に記載の印字機能付き端末装置において、
入金取引及び出金取引を実行する自動取引装置として構成されている
ことを特徴とする印字機能付き端末装置。
【請求項７】
請求項１乃至請求項５のいずれか一項に記載の印字機能付き端末装置において、
取引情報を通帳に記帳する通帳記帳機として構成されている
ことを特徴とする印字機能付き端末装置。
【請求項８】
請求項１乃至請求項５のいずれか一項に記載の印字機能付き端末装置において、
券類を発行する発券機として構成されている
ことを特徴とする印字機能付き端末装置。
【請求項９】
請求項１乃至請求項５のいずれか一項に記載の印字機能付き端末装置において、
各種のサービスの予約取引を実行する店頭端末装置として構成されている
ことを特徴とする印字機能付き端末装置。
【請求項１０】
光学読取部、表示部、操作部、及び、プリンタ部に接続されたコンピュータに、
前記光学読取部に印字媒体の印字面の画像をスキャン画像として取り込ませる工程と、
前記光学読取部によって取り込まれた前記スキャン画像に対して、印字予定行を表す印字予定行マークを付加した印字位置確認画面を、前記表示部に表示させる工程と、
前記印字位置確認画面に表示された前記印字予定行マークの位置を変更させる選択操作を前記操作部から受け付け、当該選択操作によって確定された前記印字予定行マークの位置を印字位置に決定する工程と、
前記プリンタ部に、前記決定された印字位置から印字させる工程とを実行させる
ことを特徴とするプログラム。
【請求項１１】
請求項１０に記載のプログラムにおいて、
前記コンピュータに、
前記印字予定行マークを付加した印字位置確認画面を、前記表示部に表示させる工程で、前記印字媒体の印字面の画像の中からクリアな領域を識別させ、当該クリアな領域を印字可能範囲と見なさせ、当該印字可能範囲の先頭の行を印字予定行と見なさせ、前記印字予定行マークを前記印字予定行と見なされた行に付加させることによって前記印字位置確認画面を生成させる
ことを特徴とするプログラム。
【発明の詳細な説明】
【技術分野】
【０００１】
本発明は、印字面の画像を読み取り印字位置を決定する印字機能付き端末装置、及び、印字面の画像を読み取り印字位置を決定するためのプログラムに関する。
【背景技術】
【０００２】
印字機能付き端末装置としては、例えば、主に金融機関に設置されている、自動取引装置や、通帳記帳機、窓口端末装置等がある。「自動取引装置」は、金融機関の顧客によって操作されて、入金や出金等の取引を実行する装置である。「通帳記帳機」は、顧客によって操作されて、通帳に取引記録を記帳する装置である。「窓口端末装置」は、行員によって操作されて、口座開設や、振込、融資、投資等の窓口業務を遂行し、又は、支援する装置である。
【０００３】
ここでは、印字機能付き端末装置が例えば自動取引装置として構成されている場合を想定して説明する。なお、この構成では、通帳が印字媒体となる。また、金融機関の顧客が装置の利用者となる。
【０００４】
自動取引装置として構成された印字機能付き端末装置は、通帳の印字面の画像を読み取る光学読取部と、入金や出金等の取引情報を通帳の印字面に印字するプリンタ部とを有している（例えば、特許文献１参照）。なお、特許文献１は、光学読取部が通帳の画像を読み取り、読み取られた通帳の画像の頁数及び印字済みの最終行数をホストコンピュータから受信した通帳の印字済みの最終頁のデータ及び印字済みの最終行のデータと比較してマッチングを行う自動取引装置を開示している。
【０００５】
ところで、印字媒体（ここでは、通帳）は、印字面に汚れが付着する場合がある。従来の印字機能付き端末装置は、汚れが付着した箇所（以下、「汚れた箇所」と称する）の形状が文字（ただし、数字や記号等を含む）の形状に近似している場合に、汚れた箇所を印字済み行として認識するときがある。また、従来の印字機能付き端末装置は、汚れが印字済み行の上に付着して印字済み行に記載された文字を隠している場合に、印字済み行を、印字が行われていない、ただの汚れた箇所として認識するときがある。
【０００６】
したがって、従来の印字機能付き端末装置は、読み取られた印字媒体の画像の中の、下地の色とは異なる色の箇所（変色箇所）が、汚れた箇所であるのか、又は、印字済み行の印字箇所であるのかを正確に認識することができずに、汚れた箇所を印字済み行の印字箇所として判定したり、逆に、印字済み行の印字箇所を汚れた箇所として判定したりする場合がある。その結果、従来の印字機能付き端末装置は、印字媒体の印字面に汚れが付着している場合に、情報をそのまま印字するか、又は、情報を印字せずに、印字媒体を利用者に返却する。
【先行技術文献】
【特許文献】
【０００７】
【特許文献１】特開２０１０−２６５５２号公報
【発明の概要】
【発明が解決しようとする課題】
【０００８】
従来の印字機能付き端末装置は、前記した通り、印字媒体の印字面に汚れが付着している場合に、情報をそのまま印字するか、又は、情報を印字せずに、印字媒体を利用者に返却する。
【０００９】
そのため、従来の印字機能付き端末装置は、
（１）利用者が汚れた印字媒体（ここでは、通帳）を使用した場合に、印字済み行の印字箇所を汚れた箇所として判定し、未印字の行に印字すべき情報を印字済み行に重ね印字することがある、という課題、及び、
（２）利用者が汚れた印字媒体（ここでは、通帳）を使用したい場合に、汚れた箇所を印字済み行の印字箇所として判定して、印字すべき情報を印字せずに、印字媒体を利用者に返却することがある、という課題があった。
【００１０】
これらの課題について、発明者は、印字面の画像を利用者に視認させて印字位置を決定するようにすれば、解決することができる、と考えた。
【００１１】
本発明は、前記した課題を解決するためになされたものであり、印字面の画像を読み取り印字位置を決定する印字機能付き端末装置、及び、印字面の画像を読み取り印字位置を決定するためのプログラムを提供することを主な目的とする。
【課題を解決するための手段】
【００１２】
前記目的を達成するため、第１発明は、制御部、光学読取部、表示部、操作部、及び、プリンタ部を有する印字機能付き端末装置であって、前記制御部は、前記光学読取部に印字媒体の印字面の画像をスキャン画像として取り込ませ、前記光学読取部によって取り込まれた前記スキャン画像に対して、印字予定行を表す印字予定行マークを付加した印字位置確認画面を、前記表示部に表示させ、前記印字位置確認画面に表示された前記印字予定行マークの位置を変更させる選択操作を前記操作部から受け付け、当該選択操作によって確定された前記印字予定行マークの位置を印字位置に決定し、前記プリンタ部に、前記決定された印字位置から印字させる構成とする。
【００１３】
この印字機能付き端末装置は、制御部が、光学読取部に印字媒体の印字面の画像をスキャン画像として取り込ませ、光学読取部によって取り込まれたスキャン画像に対して、印字予定行マークを付加した印字位置確認画面を、表示部に表示させる。これにより、この印字機能付き端末装置は、印字面の画像を利用者に視認させる。
【００１４】
そして、この印字機能付き端末装置は、制御部が、印字位置確認画面に表示された印字予定行マークの位置を変更させる選択操作を操作部から受け付け、選択操作によって確定された印字予定行マークの位置を印字位置に決定し、プリンタ部に、決定された印字位置から印字させる。
【００１５】
この印字機能付き端末装置は、印字面の画像を利用者に視認させて印字位置を決定する構成となっている。そのため、この印字機能付き端末装置は、印字媒体の印字面に汚れが付着している場合であっても、適切に印字位置を決定することができる。その結果、この印字機能付き端末装置は、未印字の行に印字すべき情報を印字済み行に重ね印字するのを回避することができる。また、この印字機能付き端末装置は、印字すべき情報を印字せずに、印字媒体を利用者に返却するのを回避することができる。
【００１６】
また、第２発明は、プログラムであって、光学読取部、表示部、操作部、及び、プリンタ部に接続されたコンピュータに、前記光学読取部に印字媒体の印字面の画像をスキャン画像として取り込ませる工程と、前記光学読取部によって取り込まれた前記スキャン画像に対して、印字予定行を表す印字予定行マークを付加した印字位置確認画面を、前記表示部に表示させる工程と、前記印字位置確認画面に表示された前記印字予定行マークの位置を変更させる選択操作を前記操作部から受け付け、当該選択操作によって確定された前記印字予定行マークの位置を印字位置に決定する工程と、前記プリンタ部に、前記決定された印字位置から印字させる工程とを実行させる構成とする。
【００１７】
このプログラムは、光学読取部に印字媒体の印字面の画像をスキャン画像として取り込ませ、光学読取部によって取り込まれたスキャン画像に対して、印字予定行マークを付加した印字位置確認画面を、表示部に表示させる。これにより、このプログラムは、印字面の画像を利用者に視認させる。
【００１８】
そして、このプログラムは、印字位置確認画面に表示された印字予定行マークの位置を変更させる選択操作を操作部から受け付け、選択操作によって確定された印字予定行マークの位置を印字位置に決定し、プリンタ部に、決定された印字位置から印字させる。
【００１９】
このプログラムは、印字面の画像を利用者に視認させて印字位置を決定する構成となっている。そのため、このプログラムは、印字媒体の印字面に汚れが付着している場合であっても、適切に印字位置を決定することができる。その結果、このプログラムは、未印字の行に印字すべき情報を印字済み行に重ね印字するのを回避することができる。また、このプログラムは、印字すべき情報を印字せずに、印字媒体を利用者に返却するのを回避することができる。
【発明の効果】
【００２０】
第１発明によれば、印字媒体の印字面に汚れが付着している場合であっても、適切に印字位置を決定する印字機能付き端末装置を提供することができる。
また、第２発明によれば、印字媒体の印字面に汚れが付着している場合であっても、適切に印字位置を決定するためのプログラムを提供することができる。
【図面の簡単な説明】
【００２１】
【図１Ａ】実施形態１に係る印字機能付き端末装置の構成を示す図（１）である。
【図１Ｂ】実施形態１に係る印字機能付き端末装置の構成を示す図（２）である。
【図２】実施形態１に係る印字機能付き端末装置の動作を示すフローチャート（１）である。
【図３】実施形態１に係る印字機能付き端末装置の動作を示すフローチャート（２）である。
【図４Ａ】実施形態１に係る印字機能付き端末装置の動作を示すフローチャート（３）である。
【図４Ｂ】実施形態１に係る印字機能付き端末装置の動作を示すフローチャート（４）である。
【図５Ａ】実施形態１に係る印字機能付き端末装置の表示画面の一例を示す図（１）である。
【図５Ｂ】実施形態１に係る印字機能付き端末装置の表示画面の一例を示す図（２）である。
【図５Ｃ】実施形態１に係る印字機能付き端末装置の表示画面の一例を示す図（３）である。
【図５Ｄ】実施形態１に係る印字機能付き端末装置の表示画面の一例を示す図（４）である。
【図５Ｅ】実施形態１に係る印字機能付き端末装置の表示画面の一例を示す図（５）である。
【図５Ｆ】実施形態１に係る印字機能付き端末装置の表示画面の一例を示す図（６）である。
【図５Ｇ】実施形態１に係る印字機能付き端末装置の表示画面の一例を示す図（７）である。
【図５Ｈ】実施形態１に係る印字機能付き端末装置の表示画面の一例を示す図（８）である。
【図６】実施形態２に係るコンピュータの構成を示す図である。
【発明を実施するための形態】
【００２２】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２３】
［実施形態１］
＜印字機能付き端末装置の構成＞
以下、図１Ａ及び図１Ｂを参照して、本実施形態１に係る印字機能付き端末装置の構成につき説明する。なお、図１Ａ及び図１Ｂは、それぞれ、実施形態１に係る印字機能付き端末装置の構成を示す図である。図１Ａは、本実施形態１に係る印字機能付き端末装置１の外部の主要な構成を示しており、図１Ｂは、印字機能付き端末装置１の内部の主要な構成を示している。
【００２４】
ここでは、印字機能付き端末装置１が自動取引装置（以下、「ＡＴＭ」と称する）として構成されている場合を想定して説明する。ＡＴＭ１は、主に金融機関に設置され、顧客によって操作されて、入金や出金等の取引を実行する装置である。なお、この構成では、通帳が印字媒体となる。また、金融機関の顧客が装置の利用者となる。
【００２５】
図１Ａに示すように、ＡＴＭ１は、近接センサ１１、カード挿入排出口１２、通帳挿入排出口１３、表示部１４、操作部１５、紙幣入出金口２１、及び、硬貨入出金口２３を有している。
【００２６】
近接センサ１１は、利用者の接近を検出するためのセンサである。
カード挿入排出口１２は、キャッシュカードや振込カード等のカード類が挿入及び排出される部位である。
通帳挿入排出口１３は、通帳が挿入及び排出される部位である。
【００２７】
表示部１４は、各種情報が表示される構成要素である。
操作部１５は、利用者によって各種の指示や情報が入力される構成要素である。
ここでは、表示部１４及び操作部１５は、タッチパネルとして一体化された操作表示部１６を構成している。
【００２８】
紙幣入出金口２１は、入金時に紙幣が投入され、出金時に紙幣が放出される部位である。
硬貨入出金口２３は、入金時に硬貨が投入され、出金時に硬貨が放出される部位である。
【００２９】
図１Ｂに示すように、ＡＴＭ１は、通帳挿入排出口１３の奥に、プリンタ機構６を有している。プリンタ機構６は、取引情報を通帳に記帳する機構である。図１Ｂに示す例では、プリンタ機構６は、インサータユニット３１、光学読取ユニット３２、プリンタユニット３３、ターンページユニット３４、通帳取込箱３５、及び、通帳発行ユニット３６を備えている。
【００３０】
インサータユニット３１は、通帳挿入排出口１３から通帳をＡＴＭ１の内部に取り込む、又は、通帳を装置外部に排出するユニットである。インサータユニット３１の内部には、磁気ヘッド３１ａが走行路３０の下に設けられている。磁気ヘッド３１ａは、通帳に設けられた磁気ストライプ（図示せず）から磁気データを読み取る、又は、磁気データを磁気ストライプに書き込む構成要素である。なお、走行路３０は、通帳が走行する通路である。
【００３１】
光学読取ユニット３２は、例えばＣＣＤカメラによって構成され、通帳の印字面の画像をスキャン画像として光学的に取り込む（読み取る）ユニットである。光学読取ユニット３２は、特許請求の範囲に記載された「光学読取部」に相当する。光学読取ユニット３２は、通帳の中紙に印刷された頁マーク（図示せず）や印字済み行検出用日付印字（図示せず）等を光学的に読み取る。
【００３２】
プリンタユニット３３は、情報を通帳に印字するユニットである。プリンタユニット３３は、互いに対向して配置された、印字ヘッド３３ａとプラテン３３ｂとを備えている。プリンタユニット３３は、印字ヘッド３３ａとプラテン３３ｂとの間に通帳を通し、プラテン３３ｂで通帳を支持しながら、印字ヘッド３３ａで通帳の印字面に印字する。
【００３３】
ターンページユニット３４は、通帳の改ページ（ページめくり）を自動的に行うユニットである。
通帳取込箱３５は、顧客が取り忘れた通帳を保管する収納部である。
通帳発行ユニット３６は、通帳の繰り越しが発生した場合に、新しい通帳を発行するユニットである。通帳発行ユニット３６は、通帳スタッカ３６ａと、通帳一時保留部３６ｂとを備えている。
【００３４】
通帳スタッカ３６ａは、新しく発行される通帳を複数冊保管する収納部である。通帳発行ユニット３６は、通帳の繰り越しが発生した場合に、新しい通帳を通帳スタッカ３６ａから繰り出して、通帳挿入排出口１３から排出させる。
通帳一時保留部３６ｂは、通帳の繰り越しが発生した場合に、新しい通帳が発行されるまでの間、古い通帳を一時的に保留する場所である。
【００３５】
ＡＴＭ１は、走行路３０が、通帳挿入排出口１３と通帳取込箱３５との間に設けられている。走行路３０は、インサータユニット３１、光学読取ユニット３２、プリンタユニット３３、及び、ターンページユニット３４を貫通するように、設けられている。
【００３６】
図１Ｂに示すように、ＡＴＭ１は、制御部９を備えている。制御部９は、各ユニット３１，３２，３３，３４，３６に接続されており、通帳の走行を制御したり、磁気ヘッド３１ａによって読み取られた通帳の磁気データや通帳の磁気ストライプに書き込むデータの編集解析を行ったり、光学読取ユニット３２によって取り込まれたスキャン画像のデータの解析を行ったり、プリンタユニット３３によって印字するデータの編集等を行ったりする。
【００３７】
また、図１Ｂに示すように、ＡＴＭ１は、制御プログラム４０を記憶部８（図１Ｂ参照）に格納している。制御プログラム４０は、予め、ＲＯＭや、ＲＡＭ、ＨＤＤ等に書き込まれていてもよく、また、ネットワークを介して、外部装置からの指示に基づいて更新されてもよい。制御プログラム４０は、「入金」や、「支払」、「照会」、「記帳」等の各種の取引を制御部９に実行させるためのプログラムである。なお、「入金」取引は、現金を利用者の口座に預け入れる取引である。「支払」取引は、利用者の口座から現金を引き出す取引である。「照会」取引は、利用者の口座に預け入れられた預金残高を照会する取引である。「記帳」取引は、今までの取引情報を通帳に印字する取引である。
【００３８】
制御プログラム４０は、例えば、「記帳」取引で、情報を通帳に記帳する場合（以下、「通帳記帳時」と称する）に、制御部９に、（１）光学読取ユニット３２に通帳の印字面の画像をスキャン画像５１（図５Ｆ参照）として取り込ませる工程（図２のＳ１３５及び図４ＢのＳ５６０参照）と、（２）光学読取ユニット３２によって取り込まれたスキャン画像５１に対して、印字予定行を表す印字予定行マーク５５（図５Ｆ参照）を付加した印字位置確認画面１６Ｆ（図５Ｆ参照）を、表示部１４（図１Ａ参照）に表示させる工程（図４ＡのＳ５０５参照）と、（３）印字位置確認画面１６Ｆに表示された印字予定行マーク５５の位置を変更させる選択操作（図４ＡのＳ５１０，Ｓ５２０、並びに、図４ＢのＳ５３０，Ｓ５４０，Ｓ５５０参照）を操作部１５（図１Ａ参照）から受け付け、選択操作によって確定された印字予定行マーク５５の位置を印字位置に決定する工程（図４ＡのＳ５１５，Ｓ５２５参照）と、（４）プリンタユニット３３（図１Ｂ参照）に、決定された印字位置から印字させる工程（図２のＳ１６５参照）とを実行させる構成となっている。これにより、制御プログラム４０は、印字媒体（ここでは、通帳）の印字面の画像を利用者に視認させて印字位置を決定する機能を実現する。
【００３９】
＜印字機能付き端末装置の動作＞
以下、図２、図３、図４Ａ、図４Ｂ、及び、図５Ａ〜図５Ｈを参照して、ＡＴＭ１の動作につき説明する。ただし、本実施形態１は通帳記帳時の動作に特徴があり、入金時や出金時の動作は従来の端末装置と同様であるので、ここでは、通帳記帳時の動作についてのみ説明し、入金時や出金時の動作については説明を省略する。
【００４０】
なお、図２、図３、図４Ａ、及び、図４Ｂは、それぞれ、実施形態１に係る印字機能付き端末装置の動作を示すフローチャートである。図２、図３、図４Ａ、及び、図４Ｂに示す一連のルーチンは、制御部９によって実行される。また、図５Ａ〜図５Ｈは、それぞれ、実施形態１に係る印字機能付き端末装置の表示画面の一例を示す図である。
【００４１】
（全体処理）
まず、図２を参照して、通帳記帳時のＡＴＭ１の全体処理につき説明する。
【００４２】
ＡＴＭ１は、電源が投入されることによって、動作を開始する。このとき、ＡＴＭ１は、近接センサ１１による利用者（ここでは、金融機関の顧客）の接近の監視を開始する。利用者の接近の監視は、例えば、近接センサ１１が、赤外線をＡＴＭ１の周囲に向けて放射して、その赤外線の非反射状況又は反射状況に応じた値の検出信号を制御部９に出力し、制御部９が、検出信号の値の変化を監視することによって、行われる。
【００４３】
図２に示すように、ＡＴＭ１は、利用者がＡＴＭ１に接近すると、制御部９が、これを検出する（Ｓ１０５）。これに応答して、制御部９は、初期画面として、利用者に取引を選択させるための画面（以下、「取引選択画面１６Ａ（図５Ａ参照）」と称する）を表示部１４に表示させる（Ｓ１１０）。ここでは、利用者が取引選択画面１６Ａで「記帳」取引ボタンを選択するものとして説明する。
【００４４】
制御部９は、利用者が「記帳」取引ボタンを押下すると、これを検出する（Ｓ１１５）。これに応答して、制御部９は、利用者に通帳を通帳挿入排出口１３へ挿入させるための画面（以下、「通帳挿入誘導画面１６Ｂ（図５Ｂ参照）」と称する）を表示部１４に表示させる（Ｓ１２０）。ここでは、利用者が通帳挿入誘導画面１６Ｂに従って通帳を通帳挿入排出口１３（図１Ａ参照）に挿入するものとして説明する。
【００４５】
制御部９は、利用者が通帳を通帳挿入排出口１３に挿入すると、通帳挿入排出口１３の周囲に設けられた図示せぬセンサによってこれを検知する（Ｓ１２５）。これに応答して、制御部９は、処理が実行中であることを利用者に通知するための画面（以下、「処理中画面１６Ｃ（図５Ｃ参照）」と称する）を表示部１４に表示させる（Ｓ１３０）。
【００４６】
そして、制御部９は、インサータユニット３１（図１Ｂ参照）に、通帳をＡＴＭ１の内部に取り込ませ、通帳を走行路３０（図１Ｂ参照）の上を走行させる。このとき、制御部９は、磁気ヘッド３１ａに、通帳の磁気ストライプから口座番号や頁数等の情報（以下、「通帳情報」と称する）を読み取らせるとともに、光学読取ユニット３２（図１Ｂ参照）に、通帳の印字面の画像を光学的に取り込ませる（Ｓ１３５）。
【００４７】
この後、制御部９は、通帳の磁気ストライプから読み取られた通帳情報の正当性のチェックを実行して（Ｓ１４０）、通帳情報が正常であるか否かを判定する（Ｓ１４５）。
【００４８】
Ｓ１４５の判定で、通帳情報が正常であると判定された場合（“Ｙｅｓ”の場合）に、制御部９は、印字位置を決定する（Ｓ１５０）。Ｓ１５０の処理（「印字位置決定」処理）の詳細については、後記する。
【００４９】
一方、Ｓ１４５の判定で、通帳情報が正常でないと判定された場合（“Ｎｏ”の場合）に、処理は、Ｓ１７０の処理（「通帳受取誘導画面表示」処理）に進む。
【００５０】
Ｓ１５０の後、制御部９は、印字を実行するか否かを判定する（Ｓ１５５）。Ｓ１５５の判定は、Ｓ１５０の「印字位置決定」処理で、図４Ａに示す後記するＳ５１５の処理（「印字予定行マーク表示位置を印字位置に決定」処理）が行われた場合に、“Ｙｅｓ”となり、図４Ａに示す後記するＳ５２５の処理（「印字実行せずに決定」処理）が行われた場合に、“Ｎｏ”となる。
【００５１】
Ｓ１５５の判定で、印字を実行すると判定された場合（“Ｙｅｓ”の場合）に、制御部９は、印字が実行中であることを利用者に通知するための画面（以下、「印字中画面１６Ｄ（図５Ｄ参照）」と称する）を表示部１４に表示させて（Ｓ１６０）、プリンタユニット３３（図１Ｂ参照）に、印字位置からの取引情報の印字を実行させる（Ｓ１６５）。
【００５２】
そして、制御部９は、利用者に通帳挿入排出口１３から通帳を受け取らせるための画面（以下、「通帳受取誘導画面１６Ｅ（図５Ｅ参照）」と称する）を表示部１４に表示させる（Ｓ１７０）。
【００５３】
また、Ｓ１４５の判定で、通帳情報が正常でないと判定された場合（“Ｎｏ”の場合）、又は、Ｓ１５５の判定で、印字を実行しないと判定された場合（“Ｎｏ”の場合）も、制御部９は、通帳受取誘導画面１６Ｅを表示部１４に表示させる（Ｓ１７０）。
【００５４】
Ｓ１７０の後、制御部９は、インサータユニット３１（図１Ｂ参照）に、通帳挿入排出口１３から通帳を排出させて、利用者に通帳挿入排出口１３から通帳を受け取らせる。すなわち、制御部９は、通帳を利用者に返却する（Ｓ１７５）。これにより、一連のルーチンが終了となる。
【００５５】
（「印字位置決定」処理）
次に、図３、図４Ａ、及び、図４Ｂを参照して、前記したＳ１５０の「印字位置決定」処理につき説明する。
【００５６】
Ｓ１５０の処理では、図３に示すように、制御部９は、まず、予め設定された仕様が印字予定行のクリアのチェックを実行する仕様になっているか否かを判定する（Ｓ３０５）。なお、「印字予定行」は、印字を開始する予定の行を意味している。「印字予定行のクリアのチェック」は、印字予定行がクリアであるか否かのチェックを意味している。
【００５７】
Ｓ３０５の判定で、予め設定された仕様が印字予定行のクリアのチェックを実行する仕様になっていると判定された場合（“Ｙｅｓ”の場合）に、制御部９は、Ｓ１３５（図２参照）で取り込まれたスキャン画像に基づいて、印字予定行のクリアのチェックを実行して（Ｓ３１０）、印字予定行がクリアであるか否かを判定する（Ｓ３１５）。
【００５８】
一方、Ｓ３０５の判定で、予め設定された仕様が印字予定行のクリアのチェックを実行する仕様になっていないと判定された場合（“Ｎｏ”の場合）に、処理は、無条件に、Ｓ３２５の処理（「印字位置選択」処理）に進む。
【００５９】
Ｓ３１５の判定で、印字予定行がクリアであると判定された場合（“Ｙｅｓ”の場合）に、制御部９は、印字予定行を印字位置に決定する（Ｓ３２０）。これにより、Ｓ１５０の「印字位置決定」処理が終了する。この後、処理は、図２に示すＳ１５５の判定処理に進む。
【００６０】
一方、Ｓ３１５の判定で、印字予定行がクリアでないと判定された場合（“Ｎｏ”の場合）に、制御部９は、利用者に印字位置の選択を行わせる（Ｓ３２５）。また、Ｓ３０５の判定で、予め設定された仕様が印字予定行のクリアのチェックを実行する仕様になっていないと判定された場合（“Ｎｏ”の場合）も、制御部９は、利用者に印字位置の選択を行わせる（Ｓ３２５）。
【００６１】
Ｓ３２５の処理（「印字位置選択」処理）は、図４Ａ及び図４Ｂに示すルーチンとなっている。
【００６２】
Ｓ３２５の処理では、図４Ａに示すように、制御部９は、まず、利用者に印字位置を確認させるための画面（以下、「印字位置確認画面１６Ｆ（図５Ｆ参照）」と称する）を表示部１４に表示させる（Ｓ５０５）。
【００６３】
図５Ｆに示す例では、印字位置確認画面１６Ｆは、スキャン画像５１、取消ボタン５２、確認ボタン５３、印字不可範囲５４、印字予定行マーク５５、印字可能範囲５６、ページ変更ボタン５７、及び、説明文５８を含む構成となっている。
【００６４】
「スキャン画像５１」は、光学読取ユニット３２（図１Ｂ参照）によってＡＴＭ１に取り込まれた（読み取られた）通帳の印字面の画像である。
「取消ボタン５２」は、「記帳」取引の取り消しを指示するためのボタンである。
「確認ボタン５３」は、印字の実行を指示するためのボタンである。「確認ボタン５３」が押下された場合に、ＡＴＭ１は、印字位置確認画面１６Ｆに表示された印字予定行マーク５５の位置を印字位置とし、その印字位置から印字を開始する。
【００６５】
「印字不可範囲５４」は、スキャン画像５１の中の印字ができない範囲である。
「印字予定行マーク５５」は、印字を開始する印字予定行を表すマークである。
「印字可能範囲５６」は、スキャン画像５１の中の印字が可能な範囲である。
【００６６】
「ページ変更ボタン５７」は、改ページ（ページめくり）の実行を指示するためのボタンである。
「説明文５８」は、利用者に所望の操作を誘導するための文章である。説明文５８は、定型の文章が予め定められている。例えば、説明文５８は、利用者が印字予定行マーク５５の位置からの印字の実行を選択する場合に、確認ボタン５３の押下を利用者に通知する文章や、利用者が印字位置の変更を選択する場合に、印字させたい位置の押下を利用者に通知する文章等となっている。
【００６７】
Ｓ５０５では、制御部９は、以下のようにして、印字位置確認画面１６Ｆを表示部１４に表示させる。まず、制御部９は、光学読取ユニット３２（図１Ｂ参照）によってＡＴＭ１に取り込まれた通帳の印字面の画像の中から、クリアでない領域とクリアな領域とを識別し、クリアでない領域を印字不可範囲５４と見なし、クリアな領域を印字可能範囲５６と見なす。次に、制御部９は、印字可能範囲５６の先頭（最上段）の行を印字予定行と見なし、印字予定行マーク５５をその印字予定行に付加することによりスキャン画像５１を生成する。そして、制御部９は、生成されたスキャン画像５１と予め定められた説明文５８とを印字位置確認画面１６Ｆに合成して、印字位置確認画面１６Ｆを表示部１４に表示させる。
【００６８】
Ｓ５０５の後、制御部９は、確認ボタン５３（図５Ｆ参照）が利用者によって押下されたか否かを判定する（Ｓ５１０）。
【００６９】
Ｓ５１０の判定で、確認ボタン５３が押下されたと判定された場合（“Ｙｅｓ”の場合）に、制御部９は、印字予定行マーク５５（図５Ｆ参照）の表示位置を印字位置に決定する（Ｓ５１５）。これにより、Ｓ３２５の処理（「印字位置選択」処理）が終了し、同時に、図２及び図３に示すＳ１５０の処理（「印字位置決定」処理）が終了する。
【００７０】
この後、処理は、図２に示すＳ１５５の印字実行か否かの判定処理に進む。その結果、制御部９は、Ｓ１５５の判定処理で、印字を実行する（“Ｙｅｓ”）と判定して、Ｓ１６５で、プリンタユニット３３（図１Ｂ参照）に、印字位置（印字予定行マーク５５の表示位置）からの取引情報の印字を実行させる。
【００７１】
一方、Ｓ５１０の判定で、確認ボタン５３が押下されていないと判定された場合（“Ｎｏ”の場合）に、処理は、Ｓ５２０に進む。この場合に、制御部９は、取消ボタン５２（図５Ｆ参照）が利用者によって押下されたか否かを判定する（Ｓ５２０）。
【００７２】
Ｓ５２０の判定で、取消ボタン５２が押下されたと判定された場合（“Ｙｅｓ”の場合）に、制御部９は、処理を「印字実行せず」に決定する（Ｓ５２５）。これにより、Ｓ３２５の処理（「印字位置選択」処理）が終了し、同時に、図２及び図３に示すＳ１５０の処理（「印字位置決定」処理）が終了する。
【００７３】
この後、処理は、図２に示すＳ１５５の印字実行か否かの判定処理に進む。その結果、制御部９は、Ｓ１５５の判定処理で、印字を実行しない（“Ｎｏ”）と判定して、取引情報を通帳に印字せずに、そのまま、Ｓ１７５で、通帳を利用者に返却する。
【００７４】
一方、Ｓ５２０の判定で、取消ボタン５２が押下されていないと判定された場合（“Ｎｏ”の場合）に、処理は、「Ｂ」を介して図４Ｂに示すＳ５３０に進む。この場合に、制御部９は、印字可能範囲５６（図５Ｆ参照）の中の行が利用者によって選択されたか否かを判定する（Ｓ５３０）。
【００７５】
Ｓ５３０の判定で、印字可能範囲５６の中の行が選択されたと判定された場合（“Ｙｅｓ”の場合）に、制御部９は、印字位置確認画面１６Ｆ（図５Ｆ参照）に対し、印字予定行マーク５５の位置を印字可能範囲５６の中の選択された位置に変更する。そして、制御部９は、印字予定行マーク５５の位置が変更された印字位置確認画面１６Ｆ（図５Ｇ参照）を表示部１４に表示させる（Ｓ５３５）。この後、処理は、「Ａ２」を介して図４Ａに示すＳ５１０に戻る。
【００７６】
一方、Ｓ５３０の判定で、印字可能範囲５６の中の行が選択されていないと判定された場合（“Ｎｏ”の場合）に、処理は、Ｓ５４０に進む。この場合に、制御部９は、印字不可範囲５４（図５Ｆ参照）の中の行が利用者によって選択されたか否かを判定する（Ｓ５４０）。
【００７７】
Ｓ５４０の判定で、印字不可範囲５４の中の行が選択されたと判定された場合（“Ｙｅｓ”の場合）に、制御部９は、選択された行に印字することができない旨を表す選択不可画面（図示せず）を表示部１４に表示させる（Ｓ５４５）。この後、処理は、「Ａ１」を介して図４Ａに示すＳ５０５に戻る。その結果、制御部９は、Ｓ５０５で、図５Ｆに示す印字位置確認画面１６Ｆを表示部１４に表示させて、再度、Ｓ５０５以降の処理を実行する。
【００７８】
一方、Ｓ５４０の判定で、印字不可範囲５４の中の行が選択されていないと判定された場合（“Ｎｏ”の場合）に、処理は、Ｓ５５０に進む。この場合に、制御部９は、ページ変更ボタン５７（図５Ｆ参照）が利用者によって押下されたか否かを判定する（Ｓ５５０）。
【００７９】
Ｓ５５０の判定で、ページ変更ボタン５７が押下されたと判定された場合（“Ｙｅｓ”の場合）に、制御部９は、ターンページユニット３４（図１Ｂ参照）に、通帳の印字面の改ページ（ページめくり）を実行させ（Ｓ５５５）、光学読取ユニット３２に、通帳の印字面の画像を光学的に取り込ませる（Ｓ５６０）。この後、処理は、「Ａ１」を介して図４Ａに示すＳ５０５に戻る。その結果、制御部９は、Ｓ５０５で、通帳のページが変更された印字位置確認画面１６Ｆ（図５Ｈ参照）を表示部１４に表示させて、再度、Ｓ５０５以降の処理を実行する。
【００８０】
一方、Ｓ５５０の判定で、ページ変更ボタン５７が押下されていないと判定された場合（“Ｎｏ”の場合）に、処理は、Ｓ５６５に進む。この場合に、制御部９は、処理時間がタイムアウトであるか否かを判定する（Ｓ５６５）。
【００８１】
Ｓ５６５の判定で、処理時間がタイムアウトであると判定された場合（“Ｙｅｓ”の場合）に、処理は、「Ａ３」を介して図４Ａに示すＳ５１５に進む。その結果、Ｓ５１５で、制御部９は、印字予定行マーク５５（図５Ｆ参照）の表示位置を印字位置に決定する。
【００８２】
一方、Ｓ５６５の判定で、処理時間がタイムアウトでないと判定された場合（“Ｎｏ”の場合）に、処理は、「Ａ２」を介して図４Ａに示すＳ５１０に戻る。
【００８３】
このようなＡＴＭ１は、制御部９が印字済み行の印字箇所を、印字が行われていない、ただの汚れた箇所として判定した場合であっても、利用者が印字位置確認画面１６Ｆ（図５Ｆ参照）を見て印字位置を適正な位置に変更する選択操作を行うことができる。そのため、ＡＴＭ１は、未印字の行に印字すべき情報が印字済み行に重ね印字される現象の発生を回避することができる。
【００８４】
また、ＡＴＭ１は、制御部９が汚れた箇所を印字済み行の印字箇所として判定した場合であっても、利用者が印字位置確認画面１６Ｆ（図５Ｆ参照）を見て印字位置を適正な位置に変更する選択操作を行うことができる。そのため、ＡＴＭ１は、印字すべき情報を印字せずに、通帳を利用者に返却する現象の発生を回避することができる。
【００８５】
さらに、ＡＴＭ１は、利用者が印字位置を任意の位置に変更する選択操作を行うことができるため、利用者によって指定された形態で通帳印字を行うことができる。そのため、ＡＴＭ１は、例えば、「月の変わり目でページを変更する」といった形態で通帳印字を行うことができる。
【００８６】
以上の通り、本実施形態１に係る印字機能付き端末装置１によれば、印字面の画像を利用者に視認させて印字位置を決定することができる。そのため、この印字機能付き端末装置１によれば、印字媒体の印字面に汚れが付着している場合であっても、適切に印字位置を決定することができる。その結果、未印字の行に印字すべき情報を印字済み行に重ね印字する現象の発生を回避することができる。また、印字すべき情報を印字せずに、印字媒体を利用者に返却する現象の発生を回避することができる。
【００８７】
［実施形態２］
実施形態１に係る制御プログラム４０は、図１Ａ及び図１Ｂに示すように、表示部１４、操作部１５、光学読取ユニット３２、及び、プリンタユニット３３を有する印字機能付き端末装置１の記憶部８に格納されており、印字機能付き端末装置１の制御部９によって実行される。
【００８８】
これに対して、本実施形態２に係る制御プログラム４０Ａは、図６に示すように、表示部１４Ａ、操作部１５Ａ、光学読取ユニット３２Ａ、及び、プリンタユニット３３Ａとは別体に構成されたコンピュータ１０１の記憶部８Ａに格納されており、コンピュータ１０１の制御部９Ａによって実行される。なお、制御プログラム４０Ａは、窓口端末装置１２０としての処理をコンピュータ１０１の制御部９Ａに実行させるためのプログラムである。
【００８９】
以下、図６を参照して、本実施形態２の構成につき説明する。なお、図６は、実施形態２に係るコンピュータの構成を示す図である。コンピュータ１０１は、制御プログラム４０Ａを実行することにより、窓口端末装置１２０として機能する。なお、「窓口端末装置」は、主に金融機関に設置され、行員によって操作されて、口座開設や、振込、融資、投資等の窓口業務を遂行し、又は、支援する装置である。
【００９０】
図６に示すように、本実施形態２に係るコンピュータ１０１は、ネットワーク１３０を介してホストコンピュータ１４０と接続されている。また、コンピュータ１０１は、有線又は無線によって、表示部１４Ａ、操作部１５Ａ、及び、通帳伝票プリンタ１０６と接続されている。
【００９１】
表示部１４Ａは、例えば、ＬＣＤやＬＥＤ等の表示手段である。
操作部１５Ａは、例えば、キーボードやマウス等の入力手段である。
通帳伝票プリンタ１０６は、通帳や伝票等を印字媒体とし、これらに印字するプリンタである。通帳伝票プリンタ１０６は、行員のキーボード等によるデータの入力作業を不要にするために、印字媒体の印字面の画像をスキャン画像として光学読取ユニット３２Ａによって光学的に取り込み、コンピュータ１０１に出力する機能を有している。なお、コンピュータ１０１は、通帳伝票プリンタ１０６からスキャン画像のデータが入力された場合に、スキャン画像に含まれている文字を文字認識して印字情報を取得する。
【００９２】
通帳伝票プリンタ１０６は、内部に、走行路３０Ａとして、通帳用の走行路３０Ａａと伝票用の走行路３０Ａｂとを備えている。また、通帳伝票プリンタ１０６は、磁気ヘッド３１ａＡが走行路３０Ａａの下に設けられている。磁気ヘッド３１ａＡは、通帳に設けられた磁気ストライプ（図示せず）から磁気データを読み取る、又は、磁気データを磁気ストライプに書き込む構成要素である。また、通帳伝票プリンタ１０６は、光学読取ユニット３２Ａ、プリンタユニット３３Ａ、及び、ターンページユニット３４Ａを備えている。
【００９３】
光学読取ユニット３２Ａは、通帳や伝票等の印字媒体の印字面の画像をスキャン画像として光学的に取り込む（読み取る）ユニットである。光学読取ユニット３２Ａは、特許請求の範囲に記載された「光学読取部」に相当する。通帳伝票プリンタ１０６は、光学読取ユニット３２Ａとして、通帳用の光学読取ユニット３２Ａａと伝票用の光学読取ユニット３２Ａｂとを備えている。光学読取ユニット３２Ａａは、通帳の中紙に印刷された頁マーク（図示せず）や印字済み行検出用日付印字（図示せず）等を光学的に読み取る。光学読取ユニット３２Ａｂは、伝票に印字された文字（図示せず）等を光学的に読み取る。
【００９４】
プリンタユニット３３Ａは、情報を通帳や伝票等の印字媒体に印字するユニットである。プリンタユニット３３Ａは、互いに対向して配置された、印字ヘッド３３ａＡとプラテン３３ｂＡとを備えている。プリンタユニット３３Ａは、印字ヘッド３３ａＡとプラテン３３ｂＡとの間に印字媒体を通し、プラテン３３ｂＡで印字媒体を支持しながら、印字ヘッド３３ａＡで印字媒体の印字面に印字する。
ターンページユニット３４Ａは、通帳の改ページ（ページめくり）を自動的に行うユニットである。
【００９５】
なお、図６において、符号の末尾に英文字記号「Ａ」が付加された構成要素は、実施形態１に係る各構成要素（図１Ａ及び図１Ｂ参照）と類似する機能を実現する構成要素を意味している。
【００９６】
係る構成において、制御プログラム４０Ａは、図２のＳ１０５を除く、図２、図３、図４Ａ、及び、図４Ｂに示す処理をコンピュータ１０１の制御部９Ａに実行させる。ただし、本実施形態２では、実施形態１に係るＡＴＭ１をコンピュータ１０１に、制御部９を制御部９Ａに、表示部１４を表示部１４Ａに、操作部１５を操作部１５Ａに、光学読取ユニット３２を光学読取ユニット３２Ａ（３２Ａａ）に、プリンタユニット３３をプリンタユニット３３Ａに、ターンページユニット３４をターンページユニット３４Ａに読み替えるものとする。また、本実施形態２では、利用者は、行員となる。また、本実施形態２では、コンピュータ１０１は、電源が投入されると、動作を開始して、Ｓ１１０で、初期画面として取引選択画面（図示せず）を表示部１４Ａに表示するものとする。
【００９７】
なお、Ｓ１１０で表示される取引選択画面は、実施形態１の取引選択画面１６Ａ（図５Ａ参照）と異なり、少なくとも「記帳」取引ボタンを含む、例えば、「口座開設」や、「振込」、「融資」、「投資」等の各種の取引ボタンを含む構成となる。
【００９８】
そして、制御プログラム４０Ａは、利用者である行員が取引選択画面で「記帳」取引ボタンを押下した場合（すなわち、通帳記帳時）に、制御部９Ａに、（１）光学読取ユニット３２Ａａに通帳の印字面の画像をスキャン画像５１（図５Ｆ参照）として取り込ませる工程（図２のＳ１３５及び図４ＢのＳ５６０参照）と、（２）光学読取ユニット３２Ａａによって取り込まれたスキャン画像５１に対して、印字予定行を表す印字予定行マーク５５（図５Ｆ参照）を付加した印字位置確認画面１６Ｆ（図５Ｆ参照）を、表示部１４Ａに表示させる工程（図４ＡのＳ５０５参照）と、（３）印字位置確認画面１６Ｆに表示された印字予定行マーク５５の位置を変更させる選択操作（図４ＡのＳ５１０，Ｓ５２０、並びに、図４ＢのＳ５３０，Ｓ５４０，Ｓ５５０参照）を操作部１５Ａから受け付け、選択操作によって確定された印字予定行マーク５５の位置を印字位置に決定する工程（図４ＡのＳ５１５，Ｓ５２５参照）と、（４）プリンタユニット３３Ａに、決定された印字位置から印字させる工程（図２のＳ１６５参照）とを実行させる構成となる。これにより、制御プログラム４０Ａは、印字媒体（ここでは、通帳）の印字面の画像を利用者に視認させて印字位置を決定する機能を実現する。
【００９９】
このような窓口端末装置１２０としてのコンピュータ１０１は、制御部９Ａが印字済み行の印字箇所を、印字が行われていない、ただの汚れた箇所として判定した場合であっても、利用者である行員が印字位置確認画面１６Ｆ（図５Ｆ参照）を見て印字位置を適正な位置に変更する選択操作を行うことができる。そのため、コンピュータ１０１は、未印字の行に印字すべき情報が印字済み行に重ね印字される現象の発生を回避することができる。
【０１００】
また、窓口端末装置１２０としてのコンピュータ１０１は、制御部９Ａが汚れた箇所を印字済み行の印字箇所として判定した場合であっても、利用者である行員が印字位置確認画面１６Ｆ（図５Ｆ参照）を見て印字位置を適正な位置に変更する選択操作を行うことができる。そのため、コンピュータ１０１は、印字すべき情報を印字せずに、通帳を利用者に返却する現象の発生を回避することができる。
【０１０１】
さらに、窓口端末装置１２０としてのコンピュータ１０１は、利用者が印字位置を任意の位置に変更する選択操作を行うことができるため、利用者である行員によって指定された形態で通帳印字を行うことができる。そのため、窓口端末装置１２０としてのコンピュータ１０１は、例えば、例えば、「月の変わり目でページを変更する」といった形態で通帳印字を行うことができる。
【０１０２】
以上の通り、本実施形態２に係るコンピュータ１０１によれば、印字面の画像を利用者に視認させて印字位置を決定することができる。そのため、このコンピュータ１０１によれば、印字媒体の印字面に汚れが付着している場合であっても、適切に印字位置を決定することができる。その結果、未印字の行に印字すべき情報を印字済み行に重ね印字する現象の発生を回避することができる。また、印字すべき情報を印字せずに、印字媒体を利用者に返却する現象の発生を回避することができる。
【０１０３】
本発明は、前記した実施形態に限定されることなく、本発明の要旨を逸脱しない範囲で種々の変更や変形を行うことができる。
【０１０４】
例えば、実施形態１に係る印字機能付き端末装置１は、通帳記帳機として構成することができる。なお、「通帳記帳機」は、主に金融機関に設置され、顧客によって操作されて、通帳に取引記録を記帳する装置である。
【０１０５】
また、例えば、実施形態１に係る印字機能付き端末装置１は、印字機能を有し、かつ、タッチパネルで操作を行う装置であれば、様々な形態の装置として構成することができる。例えば、実施形態１に係る印字機能付き端末装置１は、発券機や、店頭端末装置として構成することができる。なお、「発券機」は、主に交通機関や流通機関に設置され、定期券や乗車券等の券類を発行する装置である。また、「店頭端末装置」は、主に流通機関に設置され、各種グッズ販売や、チケット販売、保険への加入、クレジットカード・公共料金の支払い代行等を代表とするオンライン取引、ポイント券のポイントの更新を実行する装置である。本発明は、例えば、列車の定期券を販売する発券機で定期券の印字情報を消去して再印字する場合や、ポイント券のポイントを更新する店頭端末装置でポイント券の印字情報を消去して再印字する場合等に、適用することができる。
【符号の説明】
【０１０６】
１    印字機能付き端末装置
６    プリンタ機構
８，８Ａ    記憶部
９，９Ａ    制御部
１１    近接センサ
１２    カード挿入排出口
１３    通帳挿入排出口
１４，１４Ａ    表示部
１５，１５Ａ    操作部
１６    操作表示部（タッチパネル）
２１    紙幣入出金口
２３    硬貨入出金口
３０，３０Ａ（３０Ａａ，３０Ａｂ）    走行路
３１    インサータユニット
３１ａ，３１ａＡ    磁気ヘッド
３２，３２Ａ（３２Ａａ，３２Ａｂ）    光学読取ユニット（光学読取部）
３３，３３Ａ    プリンタユニット（プリンタ部）
３３ａ，３３ａＡ    印字ヘッド
３３ｂ，３３ｂＡ    プラテン
３４，３４Ａ    ターンページユニット
３５    通帳取込箱
３６    通帳発行ユニット
３６ａ    通帳スタッカ
４０，４０Ａ    制御プログラム
１０１    コンピュータ
１０６    通帳伝票プリンタ
１２０    窓口端末装置
１３０    ネットワーク
１４０    ホストコンピュータ
【図１Ａ】
0005628012.tif 000002
【図１Ｂ】
0005628012.tif 000003
【図２】
0005628012.tif 000004
【図３】
0005628012.tif 000005
【図４Ａ】
0005628012.tif 000006
【図４Ｂ】
0005628012.tif 000007
【図５Ａ】
0005628012.tif 000008
【図５Ｂ】
0005628012.tif 000009
【図５Ｃ】
0005628012.tif 000010
【図５Ｄ】
0005628012.tif 000011
【図５Ｅ】
0005628012.tif 000012
【図５Ｆ】
0005628012.tif 000013
【図５Ｇ】
0005628012.tif 000014
【図５Ｈ】
0005628012.tif 000015
【図６】
0005628012.tif 000016